(57)【要約】【課題】引き戸の縁部に沿って設けた引手のどこを持ってもラッチ状態を解除することができ、利用者の体格や利用状況によらず収納具本体の開口を簡単に開閉することができる収納具を提供する。【解決手段】収納具本体１１の開口を巾方向にスライド移動して開閉する引き戸２を設け、当該引き戸２の縁部に沿って略全域に亘る引手３が操作可能に設けられ、その引手３の所定箇所に引き戸２を収納具本体に係留するラッチ機構４を設け、前記ラッチ機構４の係留状態を引手３の操作に連動して解除可能にした。【選択図】図２
2004089221.tif 000002
【特許請求の範囲】
【請求項１】
収納具本体の開口を巾方向にスライド移動して開閉する引き戸を設けたものであって、
当該引き戸の縁部に沿って略全域に亘る引手が操作可能に設けられ、その引手の所定箇所に引き戸を収納具本体に係留する１又は複数のラッチ機構を設け、前記ラッチ機構の係留状態を引手の操作に連動して解除可能にしたことを特徴とする収納具。
【請求項２】
前記ラッチ機構の係留状態を、前記引手の回転動作によって解除するように構成していることを特徴とする請求項１記載の収納具。
【請求項３】
前記ラッチ機構が、収納具本体の一部と係留する係留爪と、係留爪を回転可能に支持する回転軸と、係留爪の一部に選択的に係わり合い可能な回転アームと、引手に取り付けられ引手の回転動作を回転アームを介して係留爪に伝達する伝達部材とを具備するものであることを特徴とする請求項１又は２記載の収納具。
【請求項４】
前記ラッチ機構を前記引手の所定箇所に複数設け、各々のラッチ機構を引手を介して同期作動可能に連結したことを特徴とする請求項１、２又は３記載の収納具。
【請求項５】
前記引手と前記引き戸との間に、引手の回転動作時に引手が引き戸と干渉しないように空間を設けるとともに、引き戸の閉止状態において当該空間を隠蔽する目隠し部を引手に一体に設けたものであることを特徴とする請求項１、２、３又は４記載の収納具。
【請求項６】
前記引手を押し出し成形していることを特徴とする請求項１、２、３、４又は５記載の収納具。
【発明の詳細な説明】
【０００１】
【発明の属する技術分野】
本発明は、収納具本体の開口を開閉する引き戸に設けられた引手を介してラッチ機構の係留状態を解除可能とし、前記開口を容易に開閉することができる収納具に関するものである。
【０００２】
【従来の技術】
従来、例えば、キャビネット等の収納空間を有する収納具の引き戸は、開閉操作用の引手を引き戸の中央位置に設けている。そして、引手とほぼ同じ高さ位置にラッチ機構を設け、引手を操作することによりラッチ機構を作動させるようにしているのが通例である。
【０００３】
【発明が解決しようとする課題】
ところが、このような構成のものであると、収納具における操作用の引手の位置が限定されているため、利用者の体格や利用状況によって使い勝手の悪い場合がある。例えば、この収納具を上下２段に積み上げて使用する場合は、下側の収納具の引手の位置は下すぎ、上側の収納具の引手の位置は上すぎるため、開口を簡単に開閉することができないといった不便さを伴うものとなる。
【０００４】
そこで、上記の利用態様を考慮して引手を上置き用の場合には引き戸の下端側に、下置き用の場合には引き戸の上端側に設けたものも考えられている。しかしながら、このような構成であっても、前記と同様に引手の位置は限定され、開口を開閉する操作位置が引き戸の一部に設けた引手の位置に限られるため、開閉時の操作が今ひとつ不便なものとなっている。
【０００５】
また、引き戸の上縁及び下縁にそれぞれラッチ機構を設け、これらのラッチ機構をロッド等を有する連動機構を介して連結するとともに、引手を操作することにより、連動機構を介して上下のラッチ機構を同期作動させるようにしているものもある。しかし、このような構成であれば引き戸の内部にラッチ機構を連結する連動機構を配置しなければならないため、引き戸の内部における部品点数が多く構造が大掛かりなものとなり、製作工程が煩雑になり易い。
【０００６】
本発明は、このような課題に着目してなされたものであって、その主たる目的は、引き戸の縁部に沿って設けた引手のどこを持ってもラッチ状態を解除することができ、利用者の体格や利用状況によらず収納具本体の開口を簡単に開閉することができる収納具を提供することにある。
【０００７】
【課題を解決するための手段】
すなわち、本発明の収納具は、収納具本体の開口を巾方向にスライド移動して開閉する引き戸を設けたものであって、当該引き戸の縁部に沿って略全域に亘る引手が操作可能に設けられ、その引手の所定箇所に引き戸を収納具本体に係留する１又は複数のラッチ機構を設け、前記ラッチ機構の係留状態を引手の操作に連動して解除可能にしたことを特徴とする。
【０００８】
このようなものであれば、引手の縁部に沿って略全域に亘って引手を設けているため、従来品と比較して引き戸の高さ方向において引手の位置が限定されないため、当該引手の上端側や下端側等どの位置を持って操作してもラッチ機構のラッチ状態を解除することができ、利用者の体格や利用状況に依拠することなく簡単かつ適切に収納具本体の開口の開閉操作を行うことができる。また、このような構成であれば、ラッチ機構の係留作用が引手の操作に連動するため、ラッチ機構の取付位置を引手のどの高さ位置に設けても好適に使用することができ、必要であれば複数個設けることも可能であるため、様々な仕様の収納具に容易に応用することができる。
【０００９】
より簡単な操作によって、収納具本体の開口を開閉できるようにするためには、前記各ラッチ機構の係留状態を前記引手の回転動作によって解除するように構成すればよい。
【００１０】
具体的な構成としては、前記ラッチ機構が、収納具本体の一部と係留する係留爪と、係留爪を回転可能に支持する回転軸と、係留爪の一部に選択的に係わり合う回転アームと、引手に取り付けられ引手の回転動作を回転アームを介して係留爪に伝達する伝達部材とを具備するものが挙げられる。このようなものであれば、係留爪が適切な係留動作を行う範囲で比較的自由な位置に配設することが可能になり、係留動作の向きを調節する等設計の自由度を向上させることが可能になる。また、ラッチ機構を比較的コンパクトなものとすることができとともに、引手の回転動作が生じた場合には、伝達部材によってその回転動作が第１の回転軸に伝達され、係留爪の係留状態を解除することが可能となる。
【００１１】
特に、前記ラッチ機構を前記引手の所定箇所に複数設け、各々のラッチ機構を引手を介して同期作動可能に連結したものであれば、引手が一対のラッチ機構の連動機能を兼ねるため、別途にラッチ機構同士を連結するロッドを回転扉の内部に設ける必要がないので、部品点数を削減することができ、構造の簡略化やコストダウンを図ることが可能となる。また、当該回転扉の内部において、部品が配置されない空間が従来のものより広く形成されるため、当該空間を利用して、例えば、透明又は半透明のガラスを扉に取り付けて収納空間に収納されている収納物を視認することができる開口を広く得たり、扉の内部に吸音材をより広い面積に配置したり、扉のパンチングの自由度を有効に高めること等が可能となり好適に使用することができる。
【００１２】
このような構成において、前記引手と前記引き戸との間に、引手の回転動作時に引手が引き戸と干渉しないように空間を設けるとともに、引き戸の閉止状態において当該空間を隠蔽する目隠し部を引手に一体に設けたものとすると、より安定した引手の回転動作を実現することができるとともに、閉止状態においては収納具の前面側の外観を損なうことがない。
【００１３】
また、前記引手が、押し出し成形されたものであれば、簡単に引手を成形することができ、製作工程の簡素化を図ることができる。
【００１４】
【発明の実施の形態】
以下、本発明の一実施形態を、図面を参照して説明する。
【００１５】
この収納具は、図１及び図２に示すように、収納空間を形成する収納具本体１と、この収納具本体１の前面開口を巾方向に移動して開閉可能とする引き戸２と、引き戸２の縁部に沿って略全域に亘って設けた引手３と、引手３の高さ方向略中央位置において引き戸２を収納具本体１の一部に係留するラッチ機構４とを備えているものである。
【００１６】
収納具本体１は、例えばスチール素材を折り曲げて成形してなる天板１１、底板１２、左右一対の側板１３、背面板１４を筐形に組み付けることによって前面を開口させた内部に収納空間を形成しているものである。
【００１７】
天板１１は、平面視矩形状をなしたものであり、この天板１１の対向位置には天板１１と略同型の底板１２が設けられている。天板１１の裏面側前端部及び底板１２の表面側前端部に後述する引き戸２のスライド移動を案内するレール１ａが略全域に有しており、この底板１２の後下端および天板１１の後上端に亘って背面板１４を固定した状態で設けている。また、この背面板１４の側面に当接する位置に側板１３が取り付けられている。この側板１３の前端側の所定箇所にラッチ機構５の係留爪５１が係留可能な被係留部１ｂを有している。
【００１８】
引き戸２は、図１〜図３等に示すように、天板１１及び底板１２に設けた前記レール１ａを利用してスライド移動するものであり、主として後面側を構成する後枠材２１と、主として前面側を構成する前枠材とを図示しない適宜の取付部材を用いて組み合わせて成形してなる正面視矩形状のものである。後枠材２１及び前枠材は、前面開口の巾方向の略２分の１を短寸、高さ方向を長寸とするものである。そして、この引き戸２の上下端部の所定箇所に前記車輪１ａに案内される車輪２ａを設けている。
【００１９】
引手３は、例えば合成樹脂素材を押し出し成形して、図３及び図５（説明の便宜上後述するカバー部材の頂面を省略している）等に図示するように、上端から下端に亘って前面側に開口する凹部３１と、目隠し部３２とを一体に形成したものである。凹部３１は、その一部に指先を掛けて操作できるように標準的な成人の指先が十分に入るスペースを有するものである。また、目隠し部３２は、引手３の側面と引き戸２の側面との間に引手３の回転動作時に引手３が引き戸２に干渉しないように設けた空間Ｓを隠蔽するものである。このような構成を有する引手３の略中央部近傍において引き戸２を収納具本体１に係留するラッチ機構４を設け、ラッチ機構４の一部に回転動作をする引手３を一体的に取り付けている。
【００２０】
ラッチ機構４は、図４及び図５等に示すように、内空に対向する一対の水平片４１ａを設けたカバー部材４１に、前記被係留部に係留する係留爪４２と、係留爪４２を回転可能に支持する本発明の回転軸たる第１の回転軸４３と、係留爪４２の一部に当接または近接する回転アーム４４と、引手３に取り付けられ引手３の回転動作を回転アーム４４を介して係留爪４２に伝達する伝達部材４５と、引手３に一体的に取り付けられる伝達部材４５を回転可能に支持する第２の回転軸４６とを一体的に取り付けたものである。
【００２１】
第１の回転軸４３は、上下端部を前記カバー部材４１に設けた水平片４１ａに取り付けている概略円柱状のものである。この第１の回転軸４３に係留爪４２が回転可能に取り付けられる。
【００２２】
係留爪４２は、略中央部を第１の回転軸４３に取り付け、先端部が前記カバー部材４１の側方に突出するように設定されたもので、その先端部に引き戸３の厚さ方向に突出した爪本体４２ａを形成するとともに、基端部に回転アーム４４の一部と当接又は近接する当たり部４２ｂを形成している。
【００２３】
回転アーム４４は、前記当たり部４２ｂに当接又は近接する押し当て部４４ａと、押し当て部４４ａと直交し伝達部材４５の一部に当接又は近接する第２押し当て部４４ｂとを、上下端をカバー部材４１に回転可能に取り付けた第３の回転軸４４ｃに一体的に固定した平面視略Ｌ字形状のものである。この回転アーム４４は、前記第３の回転軸４４ｃを中心に正逆動作を行うように設定されている。
【００２４】
第２の回転軸４６は、上下端部を後述する伝達部材４５の水平片４５ｂを貫通して軸受部材４６ａに支持させて回転可能に取り付けられる概略円柱状のものである。この軸受部材４６ａは、その一部をカバー部材４１もしくは後枠材２１の図示しない適宜の位置に固定しているものである。
【００２５】
伝達部材４５は、対向する上下を折り曲げ加工して起立壁４５ａの上下端部に水平片４５ｂを形成するとともに、各水平片４５ｂの先端部を外側に略直角に折り曲げて引手３の側面に取り付けられる取付片４５ｃを一体に形成したものである。この伝達部材４５は、前記引手３の回転動作に連動して前記第２の回転軸４６を中心に正逆動作を行うように設定されている。
【００２６】
このような構成を有するラッチ機構４と前記引手３とを一体的に取り付けるには、カバー部材４１の適宜箇所に設けた開口を介してカバー部材４１の外側に持ち出されている前記伝達部材４５の取付片４５ｃに引手３をネジ等を用いて緊密に固定する。なお、本実施形態では、引手３の回転動作を安定したものにするために、引き戸２の上下端部に前記第２の回転軸４６及び伝達部材４５を取り付けている。
【００２７】
次に、このような構成を有する収納具の作動を図５を参考に説明する。
【００２８】
まず、前記収納空間の前面開口が閉止されている状態において、引き戸２の引手３に設けた凹部３１を利用して引手３を手前に引くように操作すると、引手３が伝達部材４５と一体的に第２の回転軸４６を支点に同図（Ａ）に示す矢印の方向へ回転動作を行う。すると、その回転動作に連動して、各伝達部材４５が正逆動作を行い、伝達部材４５の起立壁４５ａに回転アーム４４の第２押し当て部４４ｂを引き戸３の後面側へ押す力が作用し、それに伴って回転アーム４４が第３の回転軸４４ｃを支点に回転して押し当て部４４ａから係留爪４２の当たり部４２ｂを後方へ押す力が作用する。その結果、係留爪４２が第１の回転軸５２を支点に同図に示す矢印の方向に回転し、係留爪４２の被係留部１ｂに対する係留状態を解除する（同図（Ｂ）参照）。そして、引き続いて引き戸３をレール１ａを利用して巾方向にスライド移動することにより収納空間の前面開口の略半分を開放した状態を実現することができる。
【００２９】
また、収納空間の前面開口を閉止する場合には、上記と逆の操作を行えばよい。この閉止状態においては、係留爪４２が被係留部に係留しているため、地震発生時や家具移動時などに引き戸２が不慮にスライド移動して収納空間の前面開口を開放する事態が確実に防止される。
【００３０】
このように、本実施形態に係る収納具は、収納具本体１１の開口を巾方向にスライド移動して開閉する引き戸２を設け、当該引き戸２の縁部に沿って略全域に亘る引手３が操作可能に設けられ、その引手３の所定箇所に引き戸２を収納具本体に係留するラッチ機構４を設け、前記ラッチ機構４の係留状態を引手３の操作に連動して解除可能にしているので、引き戸２に高さ方向において引手３の位置が限定されないため、当該引手３の上端側や下端側等どの位置を持って操作してもラッチ機構４のラッチ状態を解除することができ、利用者の体格や利用状況（収納具を上下２段に積み上げて使用する場合等）に依拠することなく簡単かつ適切に収納具本体１１の開口の開閉操作を行うことができる。また、このような構成であれば、ラッチ機構４の係留作動が引手３の操作に連動するため、ラッチ機構４の取付位置を引手３のどの高さ位置に設けても好適に使用することができ、様々な仕様の収納具に応用することができる。以上に加えて、本実施形態における引手３が引き戸２の縁部に沿って露出したものであり、例えばアウターハウジング等の内部に設ける必要がないため、部品点数の削減をさらに図ることができるとともに、引き戸２の長手方向に亘って引手３の全長を確保することができる。
【００３１】
さらに、前記各ラッチ機構４の係留状態を、前記引手３の回転動作によって解除するように構成しているため、簡単な操作によって収納具本体１１の前面開口を開閉することができる。
【００３２】
また、前記引手３と前記引き戸２との間に、引手３が引き戸３の縁部に干渉しないように回転し得る空間Ｓを設けるとともに、引き戸３の閉止状態において当該空間Ｓを隠蔽する目隠し部３２を引手に一体に設けているので、より安定した引手３の回転動作を実現することができるとともに、閉止状態においては収納具の前面側の外観を損なうことがない。
【００３３】
さらに、前記引手３が、押し出し成形されているため、簡単に引手３を成形することができ、製作工程の簡素化を有効に図ることができる。
【００３４】
なお、本発明は、以上に詳述した実施形態に限られるものではない。
【００３５】
例えば、図６に図示するようなラッチ機構を適用しても構わない。具体的にこのラッチ機構は、引手３の背面に設けた係留爪１０４２と、引き戸に固定した側面視コの字状のブラケット１０４１と、上下端部をブラケット１０４１に支持させている回転軸１０４４と、前記実施形態の伝達部材４５とほぼ同様の構成を有し引手３に一体的に取り付けた伝達部材１０４３と、このブラケット１０４１及び伝達部材１０４３に両端部を固定し前記引手３を後方に弾性付勢するコイルバネ１０４５とを設けている。このような構成を有するラッチ機構の作動を図６を参考に簡単に説明する。前記実施形態と同様に、引手３を手前に引くように操作すると、引手３が伝達部材１０４３と一体的に回転軸１０４４を支点に同図（Ａ）に示す矢印の方向へ回転動作を行う。その結果、係留爪１０４２が引手３の回転動作に伴って被係留部１０１ｂに対する係留状態を同時に解除する（同図（Ｂ）参照）。一方、引手３を操作しない場合には、伝達部材１０４３がコイルバネ１０４５によって弾性付勢されて係留爪１０４２の係留状態を維持する。このようなものであっても、簡単かつ適切に収納具本体１１の開口の開閉操作を行うことができるとともに、ラッチ機構の構造の簡素化を図ることができ、コストの削減にも役立つ。
【００３６】
また、前記本実施形態又は変形例にかかるラッチ機構を前記引手の所定箇所に複数設け、各々のラッチ機構を引手を介して同期作動可能に連結したものであっても構わない。このようなものであれば、引手が一対のラッチ機構の連動機能を兼ねるため、別途にラッチ機構同士を連結するロッドを回転扉の内部に設ける必要がないので、部品点数を削減することができ、構造の簡略化やコストダウンを図ることが可能となる。また、引き戸の内部において、部品が配置されない空間が従来のものより広く形成されるため、当該空間を利用して、例えば、透明又は半透明のガラスを引き戸に取り付けて収納空間に収納されている収納物を視認することができる開口を広く得たり、扉の内部に吸音材をより広い面積に配置したり、扉のパンチングの自由度を有効に高めること等が可能となり好適に使用することができる。
【００３７】
その他、各部の具体的構成についても上記実施形態に限られるものではなく、本発明の趣旨を逸脱しない範囲で種々変形が可能である。
【００３８】
【発明の効果】
以上説明したように本発明によれば、引手の縁部に沿って略全域に亘って引手を設けているため、引き戸の高さ方向において引手の位置が限定されない。その結果、当該引手の上端側や下端側等どの位置を持って操作してもラッチ機構のラッチ状態を解除することができ、利用者の体格や利用状況に依拠することなく簡単かつ適切に収納具本体の開口の開閉操作を行うことができる。また、このような構成であれば、ラッチ機構の係留作用が引手の操作に連動するため、ラッチ機構の取付位置を引手のどの高さ位置に設けても好適に使用することができ、必要であれば複数個設けることも可能であるため、様々な仕様の収納具に容易に応用することができる。
【図面の簡単な説明】
【図１】本発明の一実施形態における開口を閉止した状態の収納具を示す全体斜視図。
【図２】同実施形態における開口を半開放した状態の収納具を示す全体斜視図。
【図３】同実施形態における一部を省略して模式的に示す引き戸の正面図。
【図４】同実施形態におけるラッチ機構の要部を拡大して示す正面図。
【図５】同実施形態における作用説明図。
【図６】本発明の変形例における作用説明図。
【符号の説明】
１…収納具本体
２…引き戸
３…引手
３２…目隠し部
４…ラッチ機構
４２…係留爪
４３…第１の回転軸（回転軸）
４４…回転アーム
４５…伝達部材
Ｓ…空間
【図１】
2004089221.tif 000003
【図２】
2004089221.tif 000004
【図３】
2004089221.tif 000005
【図４】
2004089221.tif 000006
【図５】
2004089221.tif 000007
【図６】
2004089221.tif 000008